(57)【要約】【課題】造営面からの出っ張りを大きくせずに外観上の見栄えを向上する。【解決手段】ハウジング３は背面が開口する箱状の合成樹脂成形品からなり、前方へ膨出した膨出部３０内にコンセント本体１が収納される。カバー９は背面が開口する箱状の合成樹脂成形品からなり、略扇形に形成された一対の側壁９１，９１と、側壁９１，９１の円弧部分を連結する前壁９０とを有する。ハウジング３とカバー９が結合した状態では前壁９０の下端縁と両側壁９１，９１の下端縁に囲まれた開口窓９２を通して露出する部分を除き、ハウジング３と防水パッキン４の前面及び側面が全てカバー９で覆われる。従って、取付ねじ７の頭部がカバー９に覆い隠されるので、従来例に比較して外観上の見栄えが向上し、しかも、従来のボックス１００のように壁面からの出っ張りが大きくなることもない。【選択図】        図１
2006244719.tif 000002
【特許請求の範囲】
【請求項１】
プラグが抜き差し自在に接続されるコンセント本体を内部に収納し屋外の造営材表面に取り付けられるハウジングと、ハウジングの取付面と造営材表面との間に介在してハウジング内への浸水を防ぐ防水パッキンとを備え、前後方向でハウジングを貫通する１乃至複数のねじ挿通孔にそれぞれ挿通した取付ねじを用いてハウジングが取り付けられ、少なくともハウジング前面に露出する取付ねじの頭部を覆い隠すカバーがハウジング前面に近接して配置されることを特徴とする防水コンセント。
【請求項２】
ハウジング前面から露出する差込口を水平方向よりも下方に向ける形でコンセント本体がハウジング内に収納され、差込口の前方に位置して雨水が差込口にかかるのを防ぐ庇がカバーに設けられたことを特徴とする請求項１記載の防水コンセント。
【請求項３】
ハウジング前面から露出する差込口を水平方向よりも下方に向ける形でコンセント本体がハウジング内に収納され、透光性を有するとともに差込口の前方に位置して雨水が差込口にかかるのを防ぐ庇がハウジングに設けられ、該庇がカバーで覆われないようにしたことを特徴とする請求項１記載の防水コンセント。
【請求項４】
カバーの一部をハウジング前面に密着させたことを特徴とする請求項１〜３の何れかに記載の防水コンセント。
【請求項５】
造営面に埋め込まれる埋込ボックス及び造営材の何れにも取付可能な取付枠にハウジングが取り付けられることを特徴とする請求項１〜４の何れかに記載の防水コンセント。
【請求項６】
カバーをハウジングに結合する結合手段を備え、該結合手段は、ハウジングに対してカバーをスライドさせることで係脱自在に係合する係合部若しくは凹凸嵌合する嵌合部を有することを特徴とする請求項１〜５の何れかに記載の防水コンセント。
【請求項７】
カバーは、ハウジング前面の差込口が露出する部位を外部に臨ませる開口窓を有してハウジング及び防水パッキンの略全体を覆ってなり、ハウジング前面のねじ挿通孔の上方に後方へ落ち込む段差が設けられたことを特徴とする請求項１〜６の何れかに記載の防水コンセント。
【請求項８】
前記段差は水平方向においてハウジング前面の両端まで延長されていることを特徴とする請求項７記載の防水コンセント。 
【発明の詳細な説明】
【技術分野】
【０００１】
本発明は、防水コンセントに関するものである。
【背景技術】
【０００２】
図１１に示すように、プラグが抜き差し自在に接続されるコンセント本体１を内部に収納し取付枠２を用いて屋外の壁面に取り付けられるハウジング３と、ハウジング３の取付面と壁面との間に介在してハウジング３内への浸水を防ぐ防水パッキン４とを備えた防水コンセントが従来より種々提供されている（例えば、特許文献１参照）。
【０００３】
この種の防水コンセントは、固定ねじ５，５を用いて取付枠２を壁面に固定し、壁面から導出された電線６をコンセント本体１の端子部（図示せず）に結線した後、前後方向でハウジング３を貫通する２つのねじ挿通孔３２にそれぞれ挿通した取付ねじ７，７を取付枠２に設けたねじ孔２ａ，２ａに螺合することで取付枠２にハウジング３を取り付けるという手順で施工される。尚、取付ねじ７にはリング状の防水パッキン８が外挿されてねじ挿通孔３２からの浸水を防いでいる。
【特許文献１】特開平１０−２２３３０６号公報
【発明の開示】
【発明が解決しようとする課題】
【０００４】
ところで上記従来例は、施工後のハウジング３前面に取付ねじ７の頭部が露出しているために外観上の見栄えが良くないという問題があった。これに対して、図１２に示すように壁面に取り付けられる矩形箱状のボックス１００内に防水コンセントを収納する場合があったが、施工工数が増えるとともに壁面からの出っ張りが大きくなって物がぶつかる可能性が高くなるなどの新たな問題が生じてしまう。
【０００５】
本発明は上記事情に鑑みて為されたものであり、その目的は、造営面からの出っ張りを大きくせずに外観上の見栄えを向上した防水コンセントを提供することにある。
【課題を解決するための手段】
【０００６】
請求項１の発明は、上記目的を達成するために、プラグが抜き差し自在に接続されるコンセント本体を内部に収納し屋外の造営材表面に取り付けられるハウジングと、ハウジングの取付面と造営材表面との間に介在してハウジング内への浸水を防ぐ防水パッキンとを備え、前後方向でハウジングを貫通する１乃至複数のねじ挿通孔にそれぞれ挿通した取付ねじを用いてハウジングが取り付けられ、少なくともハウジング前面に露出する取付ねじの頭部を覆い隠すカバーがハウジング前面に近接して配置されることを特徴とする。
【０００７】
請求項２の発明は、請求項１の発明において、ハウジング前面から露出する差込口を水平方向よりも下方に向ける形でコンセント本体がハウジング内に収納され、差込口の前方に位置して雨水が差込口にかかるのを防ぐ庇がカバーに設けられたことを特徴とする。
【０００８】
請求項３の発明は、請求項１の発明において、ハウジング前面から露出する差込口を水平方向よりも下方に向ける形でコンセント本体がハウジング内に収納され、透光性を有するとともに差込口の前方に位置して雨水が差込口にかかるのを防ぐ庇がハウジングに設けられ、該庇がカバーで覆われないようにしたことを特徴とする。
【０００９】
請求項４の発明は、請求項１〜３の何れかの発明において、カバーの一部をハウジング前面に密着させたことを特徴とする。
【００１０】
請求項５の発明は、請求項１〜４の何れかの発明において、造営面に埋め込まれる埋込ボックス及び造営材の何れにも取付可能な取付枠にハウジングが取り付けられることを特徴とする。
【００１１】
請求項６の発明は、請求項１〜５の何れかの発明において、カバーをハウジングに結合する結合手段を備え、該結合手段は、ハウジングに対してカバーをスライドさせることで係脱自在に係合する係合部若しくは凹凸嵌合する嵌合部を有することを特徴とする。
【００１２】
請求項７の発明は、請求項１〜６の何れかの発明において、カバーは、ハウジング前面の差込口が露出する部位を外部に臨ませる開口窓を有してハウジング及び防水パッキンの略全体を覆ってなり、ハウジング前面のねじ挿通孔の上方に後方へ落ち込む段差が設けられたことを特徴とする。
【００１３】
請求項８の発明は、請求項７の発明において、前記段差は水平方向においてハウジング前面の両端まで延長されていることを特徴とする。
【発明の効果】
【００１４】
請求項１の発明によれば、少なくともハウジング前面に露出する取付ねじの頭部を覆い隠すカバーがハウジング前面に近接して配置されるので、造営面からの出っ張りを大きくせずに外観上の見栄えを向上することができる。
【００１５】
請求項２の発明によれば、カバーに設けた庇によって雨水が差込口にかかるのを防ぐことができる。
【００１６】
請求項３の発明によれば、ハウジングに設けた庇によって雨水が差込口にかかるのを防ぐことができるとともに庇を通して差込口を視認することができ、さらに庇がカバーで覆われないようにしたために壁面からの出っ張りを抑えることができる。
【００１７】
請求項４の発明によれば、外力によるカバーの脱落や破損等を防ぐことができる。
【００１８】
請求項５の発明によれば、取付枠を用いて埋込ボックスにも取り付けることができ、施工の自由度が向上する。
【００１９】
請求項６の発明によれば、結合手段によってハウジングにカバーを容易に取り付けることができる。
【００２０】
請求項７の発明によれば、例えカバー内に浸水しても段差によってねじ挿通孔に水が流れ込むことを阻止できる。
【００２１】
請求項８の発明によれば、段差に溜まった水をハウジングの両端へ排水することができてねじ挿通孔への水の流れ込みをより確実に防ぐことができる。
【発明を実施するための最良の形態】
【００２２】
（実施形態１）
本実施形態は、図１に示すようにハウジング３に取り付けられるカバー９を備えた点に特徴があり、これ以外の構成は図１１に示した従来例と共通であるから、共通の構成要素には同一の符号を付して適宜説明を省略する。
【００２３】
ハウジング３は背面が開口する箱状の合成樹脂成形品からなり、前方へ膨出した膨出部３０内にコンセント本体１が収納される。なお、膨出部３０の側面形状は背面側を長辺とする略三角形で、下面形状が長方形となっており、この下面にコンセント本体１の差込口１０が露出している。そして、アクリル樹脂のような透明な合成樹脂材料により略コ字状に形成されて差込口１０を覆う雨避けのための庇３１が膨出部３０の下面縁に取り付けてある。このハウジング３の下部前面の中央並びに膨出部３０の上部前面の中央には前後方向に貫通し取付ねじ７が挿通されるねじ挿通孔３２がそれぞれ穿孔されており、これら２つのねじ挿通孔３２に挿通した取付ねじ７を取付枠２に設けられた一対のねじ孔２ａに螺合することでハウジング３が取付枠２に取り付けられる。ここで、取付枠２は電線６を通す窓孔２０が中央に開口した矩形枠状の合成樹脂成形品からなり、窓孔２０を挟んで上下に対向する位置に貫設された一対のねじ挿通孔２１に固定ねじ５が挿通され、これら２つの固定ねじ５を造営材若しくは造営面に埋め込まれた埋込ボックス（後述する）のねじ孔に螺合することで壁面又は埋込ボックスに固定される（図１１参照）。なお、ハウジング３の下部前面の一端部にはねじ式のアースターミナル３３が設けられている。
【００２４】
カバー９は背面が開口する箱状の合成樹脂成形品からなり、略扇形に形成された一対の側壁９１，９１と、側壁９１，９１の円弧部分を連結する前壁９０とを有する。両側壁９１，９１の内側面には上下方向に沿った突条からなる嵌合突起９３がそれぞれ突設されている。また、嵌合突起９３の側面は後方へ向かって外側に傾斜する傾斜面となっており、カバー９をハウジング３の前方から押しつけていくと、嵌合突起９３，９３が膨出部３０の側面に摺接することで側壁９１，９１が撓み、やがて嵌合突起９３，９３がハウジング３の左右両側面に設けられた平面視矩形の嵌合凹所３４，３４の位置に達すると側壁９１，９１が元の状態に戻って嵌合凹所３４，３４に嵌合することでハウジング３とカバー９が結合される。ハウジング３と結合した状態においては、図１（ｂ）に示すようにカバー９の両側壁９１，９１の後端縁が壁面に当接し、前壁９０の下端縁と両側壁９１，９１の下端縁に囲まれた開口窓９２を通して露出する部分を除き、ハウジング３と防水パッキン４の前面及び側面が全てカバー９で覆われる。
【００２５】
従って、膨出部３０の上部前面中央のねじ挿通孔３２に挿通された取付ねじ７の頭部もカバー９に覆い隠されるので、カバー９を備えていない従来例に比較して外観上の見栄えが向上し、しかも、カバー９はハウジング３の前面及び側面に近接して配置されているから、図１２に示した従来のボックス１００のように壁面からの出っ張りが大きくなることもない。また、ハウジング３の色を変えずとも、塗装や合成樹脂材料の着色によってカバー９の色変更が容易に行えるという利点や、紫外線による絶縁劣化やハウジング３の変色等の耐候性の影響を回避できるという利点がある。
【００２６】
ここで、図２に示すように庇３１を設けずにカバー９の前壁９０及び側壁９１，９１の下端縁を庇に利用すれば、カバー９の前後方向の寸法を小さくして壁面からの出っ張りを抑えることができる。また、図３に示すようにカバー９の開口窓９２の周囲を覆うコ字状の部位をアクリル樹脂などの透明な合成樹脂材料で２色成形することで庇部９４を形成すれば、庇部９４によって雨水が差込口１０にかかるのを防ぐことができるとともに庇部９４を通して差込口１０を視認することができて望ましい。あるいは、図４に示すようにハウジング３に庇３１を取り付けるとともにカバー９の前壁９０の下端縁を上方へずらすことで庇３１がカバー９で覆われないようにすれば、ハウジング３に取り付けた庇３１によって雨水が差込口１０にかかるのを防ぐことができるとともに庇３１を通して差込口１０を視認することができ、さらに庇３１がカバー９で覆われないようにしたために壁面からの出っ張りを抑えることができる。
【００２７】
ところで、カバー９の前壁９０とハウジング３の膨出部３０との間に比較的大きな空間が存在するとカバー９が衝撃を受けたときに破損等をしやすいので、前壁９０と膨出部３０との間の空間はできるだけ小さくすることが望ましい。例えば、図５に示すように前壁９０の裏面から突設した薄板状のリブ９０ａの先端を膨出部３０に当接させたり、あるいは前壁９０が膨出部３０に密着するように前壁９０並びに側壁９１，９１の形状及び寸法を設定したり、前壁９０と膨出部３０との間でスポンジや発泡スチロール若しくはゴムなどの緩衝材を挟み込むようにすればよい。
【００２８】
なお、取付枠２は壁面に直付けされるだけでなく、図６に示すように壁面に埋め込まれた埋込ボックス（スイッチボックスともいう）１１０に対して、固定ねじ５，５の代わりにボックスねじ１１１，１１１を用いて取り付けることができる。埋込ボックス１１０は日本工業規格で規格化されており、ボックスねじ１１１が螺合するねじ孔１１２，１１２間の距離（ピッチ）も規定されている。
【００２９】
（実施形態２）
本実施形態は、図７に示すように取付枠２を使わずにハウジング３を造営材並びに埋込ボックス１１０の双方に取付可能とした点に特徴があり、その他の基本的な構成は実施形態１と共通である。よって、実施形態１と共通の構成要素には同一の符号を付して説明を省略する。
【００３０】
ハウジング３の下部前面の中央並びに膨出部３０の上部前面の中央には、取付ねじ７，７が挿通されるねじ挿通孔３２，３２の代わりに、固定ねじ５，５若しくはボックスねじ１１１，１１１が挿通される長孔のねじ挿通孔３５，３５がそれぞれ前後方向に貫設されている。つまり、２つのねじ挿通孔３５，３５間のピッチが埋込ボックス１１０のねじ孔１１２，１１２間のピッチに一致させてあって、実施形態１における取付枠２がハウジング３と一体に構成されている。なお、図７において１１はコンセント本体１をハウジング３に固定するための打ち込み鋲、３３ａはアースターミナル用のつまみ、３３ｂはアースターミナル用の心棒、３３ｃは心棒３３ｂとコンセント本体１の接地極を接続するためのアースターミナル用の端子板、３３ｄは端子板３３ｃをハウジング３に固定するための打ち込み鋲である。
【００３１】
また、本実施形態ではハウジング３とカバー９の結合構造が実施形態１と異なっており、ハウジング３に対して壁面と平行にカバー９をスライドさせることで両者が結合される構造としている。すなわち、膨出部３０の両側面には略Ｌ字形の取付リブ３６，３６が設けられ、カバー９の両側壁９１，９１の内側面から上下方向に沿って突設された係合リブ９５，９５を取付リブ３６，３６にスライド係合することでハウジング３とカバー９が結合されるのである。さらに詳しく説明すると、取付リブ３６，３６はハウジング３の前面側部との間に隙間を空けて形成されており、この隙間に係合リブ９５，９５が挿入されることで取付リブ３６，３６と係合リブ９５，９５とが係合する。ここで、取付リブ３６，３６の背面側にはそれぞれ突起３６ａが突設されており、カバー９をスライドさせているときには、この突起３６ａがカバー９の取付リブ３６，３６を後方へ押圧してスライド方向（鉛直方向）に対する抵抗力を生じさせるが、ハウジング３をカバー９に結合したときには、突起３６ａ，３６ａが係合リブ９５，９５の前面下部に形成された凹部９５ａ，９５ａに嵌合することでクリック感を出すことができ、その結果、施工を確実に行うことができる。さらに、図８（ｂ）に示すようにカバー９の前壁９０には壁面に沿って下方へ突出する平板状の固定リブ９６が形成されるとともに、この固定リブ９６が嵌合する嵌合溝３７がハウジング３の上端部に凹設されており、固定リブ９６を嵌合溝３７に嵌合することでハウジング３とカバー９の結合強度を向上させている。
【００３２】
ところで、膨出部３０の前面上部におけるねじ挿通孔３５と嵌合溝３７との間に後方へ落ち込む段差３８が設けられ、この段差３８が水平方向においてハウジング３前面の両端まで延長されている。つまり、段差３８を設けない場合、膨出部３０の上部に付着した水が膨出部３０の前面を伝ってねじ挿通孔３５に流れ込む虞があるが、段差３８を設けた場合、膨出部３０の上部に付着した水を段差３８に溜めるとともに溜まった水をハウジング３の両側へ排水することでねじ挿通孔３５に流れ込むことを阻止できるものである。
【００３３】
上述のように本実施形態は、図８に示すようにねじ挿通孔３５，３５に挿通した固定ねじ５，５を壁材に螺合することで取付枠２を用いずに壁面に直付けすることも可能であるし、あるいは、図９に示すようにねじ挿通孔３５，３５に挿通したボックスねじ１１１，１１１を壁面に埋め込まれた埋込ボックス１１０のねじ孔１１２，１１２に螺合することで取付枠２を用いずに埋込ボックス１１０に取り付けることも可能であり、さらに、ねじ挿通孔３５，３５間のピッチが実施形態１におけるねじ挿通孔３２，３２間のピッチよりも狭くなるから、ハウジング３の小型化も可能になる。そして、直付け又は埋込ボックス１１０への取付の何れの場合においても、固定ねじ５，５又はボックスねじ１１１，１１１の何れか２本のねじで施工できるため、実施形態１のように取付枠２を用いる場合に比較して施工が簡単になるという利点がある。ここで、ねじ挿通孔３５，３５を長孔としているため、埋込ボックス１１０のねじ孔１１２，１１２の中心位置がずれている場合でもハウジング３の位置を調整することができる。
【００３４】
（実施形態３）
実施形態１，２ではハウジング３の略全体を覆う形状・寸法にカバー９を形成していたが、本実施形態は、図１０に示すようにねじ挿通孔３５，３５を覆うことができる必要最小限の形状・寸法に形成されたカバー片５０，５０をハウジング３に取り付けるようにした点に特徴がある。但し、カバー９の代わりにカバー片５０，５０を備えた点を除けば、基本的な構成は実施形態２と共通であるから、共通の構成要素には同一の符号を付して説明を省略する。
【００３５】
カバー片５０は、矩形板状の主部５１と、主部５１の一端より後方へ突出する突出部５２とを有する合成樹脂成形品からなる。主部５１の他端と突出部５２の先端には係止爪５３，５３が突設されている。一方、ハウジング３の前面上部及び前面下部には、カバー片５０が嵌め込まれる凹所３９，３９が設けられ、さらに凹所３９の上下両端部には係止爪５３，５３を挿入係止する係止孔３９ａ，３９ａが設けられている。
【００３６】
而して、ねじ挿通孔３５，３５に挿通した固定ねじ５，５（又はボックスねじ１１１，１１１）でハウジング３を壁面に取り付けた後、凹所３９，３９にカバー片５０，５０を嵌め込むとともに係止爪５３，５３を係止孔３９ａ，３９ａに挿入係止すれば、図１０（ｂ）に示すようにハウジング３と結合されたカバー片５０，５０によってねじ挿通孔３５，３５に挿通された固定ねじ５，５の頭部が覆い隠されるので、従来例に比較して外観上の見栄えが向上する。しかも、カバー片５０，５０はハウジング３の前面と面一に配置されているから、実施形態１又は２と比較して壁面からの出っ張りを小さくすることができ、また、カバー９に比べて材料費等が少なくなるからコストダウンが図れるという利点や、カバー片５０，５０で覆い隠すことにより防水性能が向上するという利点がある。なお、カバー片５０，５０は両面テープによる貼着や接着剤による接着等によってハウジング３に取り付けても構わない。
【図面の簡単な説明】
【００３７】
【図１】本発明の実施形態１を示し、（ａ）はカバーを外した状態の斜視図、（ｂ）はカバーを取り付けた状態の斜視図である。
【図２】同上の他の構成を示し、（ａ）はカバーを外した状態の斜視図、（ｂ）はカバーを取り付けた状態の斜視図である。
【図３】同上のさらに他の構成を示し、（ａ）はカバーを外した状態の斜視図、（ｂ）はカバーを取り付けた状態の斜視図である。
【図４】同上の別の構成を示し、（ａ）はカバーを外した状態の斜視図、（ｂ）はカバーを取り付けた状態の斜視図である。
【図５】同上を壁面に直付けした状態の断面図である。
【図６】同上を埋込ボックスに取り付けた状態を示し、（ａ）は正面図、（ｂ）は断面図である。
【図７】本発明の実施形態２を示す分解斜視図である。
【図８】同上を壁面に直付けした状態を示し、（ａ）は正面図、（ｂ）は断面図である。
【図９】同上を埋込ボックスに取り付けた状態を示し、（ａ）は正面図、（ｂ）は断面図である。
【図１０】本発明の実施形態３を示し、（ａ）はカバーを外した状態の斜視図、（ｂ）はカバーを取り付けた状態の斜視図である。
【図１１】従来例を示す分解斜視図である。
【図１２】他の従来例を示し、（ａ）は分解斜視図、（ｂ）は斜視図である。
【符号の説明】
【００３８】
１  コンセント本体
３  ハウジング
７  取付ねじ
９  カバー
３２  ねじ挿通孔
【図１】
2006244719.tif 000003
【図２】
2006244719.tif 000004
【図３】
2006244719.tif 000005
【図４】
2006244719.tif 000006
【図５】
2006244719.tif 000007
【図６】
2006244719.tif 000008
【図７】
2006244719.tif 000009
【図８】
2006244719.tif 000010
【図９】
2006244719.tif 000011
【図１０】
2006244719.tif 000012
【図１１】
2006244719.tif 000013
【図１２】
2006244719.tif 000014